(57)【要約】  【課題】撮影時のフレーミングを容易にしてシャッターチャンスに強いデジタル撮影機器およびその画像表示方法を提供する。  【解決手段】被写体の像を撮像し電気信号に変換する撮像素子１２と、光学的に変倍でき被写体の像を撮像素子１２に結像させる変倍光学系１１と、少なくとも画像データを表示する画面を有する表示デバイス１５と、前記電気信号を画面に表示させる表示制御部１４とを備え、表示制御部１４は、撮像している画像を画面に表示させるとともに、画面の一部の領域に、撮像している画像のうちの、変倍光学系１１で所定倍率で拡大した際の撮像範囲に相当する部分の画像データを拡大して表示させる。【選択図】図１
2006054803.tif 000002
【特許請求の範囲】
【請求項１】
被写体の像を撮像し、電気信号に変換する撮像素子と、
光学的に変倍でき、前記被写体の像を前記撮像素子に結像させる変倍光学系と、
少なくとも画像データを表示する画面を有する表示デバイスと、
前記電気信号を前記画面に表示させる表示制御部とを備え、
前記表示制御部は、撮像している画像を前記画面に表示させるとともに、前記画面の一部の領域に、前記撮像している画像のうちの、前記変倍光学系で所定倍率で拡大した際の撮像範囲に相当する部分の画像データを拡大して表示させる、デジタル撮影機器。
【請求項２】
前記所定倍率は、任意に設定でき、
前記一部の領域のサイズおよび位置も、任意に設定できる、請求項１に記載のデジタル撮影機器。
【請求項３】
前記一部の領域は、複数の領域に分かれており、
前記複数の領域のそれぞれには、互いに異なる拡大倍率で画像データが表示されている、請求項１に記載のデジタル撮影機器。
【請求項４】
さらに、前記変倍光学系を制御する光学系制御部と、
前記一部の領域に表示されている画像を特定するフレーム特定手段とを備え、
前記光学系制御部は、前記一部の領域に表示されている画像を特定した場合に、その特定した画像に相当する倍率となるように、前記変倍光学系を変倍させる、請求項１乃至３のいずれかに記載のデジタル撮影機器。
【請求項５】
被写体の像を撮像し、電気信号に変換する撮像素子と、
光学的に変倍でき、前記被写体の像を前記撮像素子に結像させる変倍光学系と、
少なくとも前記電気信号に変換された画像データを表示する画面を有する表示デバイスと、
前記画面の中央部を中央部とする任意の領域を指定できる撮像範囲指定手段と、
指定された前記領域の画像を前記画面全体に表示させるように、前記変倍光学系を制御する光学系制御部とを備えたデジタル撮影機器。
【請求項６】
光学的に変倍可能な変倍光学系により結像された被写体の像を電気信号に変換し、その画像を表示デバイスの画面に表示するステップと、
前記画面の一部の領域に、前記画面に表示させている画像のうちの、前記変倍光学系で所定倍率で拡大した際の撮像範囲に相当する部分の画像データを拡大して表示させるステップとを備えた、デジタル撮影機器の画像表示方法。
【請求項７】
光学的に変倍可能な変倍光学系により結像された被写体の像を電気信号に変換し、その画像を表示デバイスの画面に表示するステップと、
前記画面の中央部を中央部とする任意の領域を指定するステップと、
指定された前記領域の画像を前記画面全体に表示させるように、前記変倍光学系を制御するステップとを備えた、デジタル撮影機器の画像表示方法。
【請求項８】
請求項１に記載の、デジタル撮影機器の前記電気信号を前記画面に表示させる前記表示制御部としてコンピュータを機能させるためのプログラム。
【請求項９】
請求項８に記載のプログラムを担持した記録媒体であって、コンピュータで利用可能な記録媒体。
【発明の詳細な説明】
【技術分野】
【０００１】
本発明は、変倍光学系を搭載したデジタル撮影機器およびその画像表示方法に関するものである。例えば、デジタルビデオカメラ、デジタルスチルカメラ等のデジタル撮影機器およびその画像表示方法に関するものである。
【背景技術】
【０００２】
従来より、光学系及びＣＣＤ、ＣＭＯＳ等の撮像素子と液晶等の表示デバイスを備えたデジタルビデオカメラ、デジタルスチルカメラが商品化されている。
【０００３】
通常、これらのデジタル撮影機器は、光学系によって被写体の像を撮像素子に結像させ、撮像素子にて電荷信号に変換する。さらに、この電荷信号を画像データへと変換し、その画像データを固体メモリーや磁気記録テープ、記録型ディスクなどへ記録する。
【０００４】
このようなデジタル撮影機器では、インターフェースの向上のために、例えば、画角を広角側に変化した場合に構図決定しやすいように、画角変更前の撮影範囲を表示デバイス上にマーキングしているものがある（例えば、特許文献１参照）。
【０００５】
また、あらかじめ記憶した画角になるように、ズームレンズ、フォーカスレンズを移動させるものもある（例えば、特許文献２参照）。
【特許文献１】特開２００４−３２５２４号公報
【特許文献２】特開２００１−９１８１５号公報
【発明の開示】
【発明が解決しようとする課題】
【０００６】
しかしながら、特許文献１に示す方式では、画角を数回変化させてフレーミングの条件を求める必要も生じるため、まだまだ効率的ではなかった。
【０００７】
また、特許文献２に示す方式では、あらかじめ記憶させている位置にレンズを移動させるため、撮影時においては、それが最適なフレーミングにならない場合が想定された。
【０００８】
本発明は、上記従来の課題を解決するもので、容易にフレーミングを決定でき、シャッターチャンスを逃さずに撮影できるデジタル撮影機器およびその画像表示方法を提供することを目的とする。
【課題を解決するための手段】
【０００９】
上述した課題を解決するために、第１の本発明は、
被写体の像を撮像し、電気信号に変換する撮像素子と、
光学的に変倍でき、前記被写体の像を前記撮像素子に結像させる変倍光学系と、
少なくとも画像データを表示する画面を有する表示デバイスと、
前記電気信号を前記画面に表示させる表示制御部とを備え、
前記表示制御部は、撮像している画像を前記画面に表示させるとともに、前記画面の一部の領域に、前記撮像している画像のうちの、前記変倍光学系で所定倍率で拡大した際の撮像範囲に相当する部分の画像データを拡大して表示させる、デジタル撮影機器である。
【００１０】
第２の本発明は、
前記所定倍率は、任意に設定でき、
前記一部の領域のサイズおよび位置も、任意に設定できる、第１の本発明のデジタル撮影機器である。
【００１１】
第３の本発明は、
前記一部の領域は、複数の領域に分かれており、
前記複数の領域のそれぞれには、互いに異なる拡大倍率で画像データが表示されている、第１の本発明のデジタル撮影機器である。
【００１２】
第４の本発明は、
さらに、前記変倍光学系を制御する光学系制御部と、
前記一部の領域に表示されている画像を特定するフレーム特定手段とを備え、
前記光学系制御部は、前記一部の領域に表示されている画像を特定した場合に、その特定した画像に相当する倍率となるように、前記変倍光学系を変倍させる、第１乃至第３のいずれかの本発明のデジタル撮影機器である。
【００１３】
第５の本発明は、
被写体の像を撮像し、電気信号に変換する撮像素子と、
光学的に変倍でき、前記被写体の像を前記撮像素子に結像させる変倍光学系と、
少なくとも前記電気信号に変換された画像データを表示する画面を有する表示デバイスと、
前記画面の中央部を中央部とする任意の領域を指定できる撮像範囲指定手段と、
指定された前記領域の画像を前記画面全体に表示させるように、前記変倍光学系を制御する光学系制御部とを備えたデジタル撮影機器である。
【００１４】
第６の本発明は、
光学的に変倍可能な変倍光学系により結像された被写体の像を電気信号に変換し、その画像を表示デバイスの画面に表示するステップと、
前記画面の一部の領域に、前記画面に表示させている画像のうちの、前記変倍光学系で所定倍率で拡大した際の撮像範囲に相当する部分の画像データを拡大して表示させるステップとを備えた、デジタル撮影機器の画像表示方法である。
【００１５】
第７の本発明は、
光学的に変倍可能な変倍光学系により結像された被写体の像を電気信号に変換し、その画像を表示デバイスの画面に表示するステップと、
前記画面の中央部を中央部とする任意の領域を指定するステップと、
指定された前記領域の画像を前記画面全体に表示させるように、前記変倍光学系を制御するステップとを備えた、デジタル撮影機器の画像表示方法である。
【００１６】
第８の本発明は、
第１の本発明の、デジタル撮影機器の前記電気信号を前記画面に表示させる前記表示制御部としてコンピュータを機能させるためのプログラムである。
【００１７】
第９の本発明は、
第８の本発明のプログラムを担持した記録媒体であって、コンピュータで利用可能な記録媒体である。
【発明の効果】
【００１８】
本発明により、容易にフレーミングを決定でき、シャッターチャンスを逃さずに撮影できるデジタル撮影機器およびその画像表示方法を提供することができる。
【発明を実施するための最良の形態】
【００１９】
以下、本発明の実施の形態を、図面を用いて詳細に説明する。
【００２０】
（実施の形態１）
図１は、本発明の実施の形態１のデジタルスチルカメラの構成ブロック図を示している。
【００２１】
本実施の形態１のデジタルスチルカメラは、被写体の像を撮像素子１２上に結像させる変倍光学系１１を備えている。変倍光学系１１は、結像させる像を光学的に変倍できるズーム機能を備えている。また、撮像した画像などを表示させる画面を有する表示デバイス１５を備えている。また、表示デバイス１５の画面上に表示させる画像を制御する表示制御部１４、変倍光学系１１を制御する光学系制御部１３、表示デバイス１５の画面上に表示されたフレームを特定するフレーム特定手段１６を備えている。
【００２２】
次に、本実施の形態１のデジタルスチルカメラの、フレームを決定する際の動作について説明する。
【００２３】
図１において、変倍光学系１１により、撮影する被写体の像が撮像素子１２上に結像される。撮像素子１２は、この結像された像の情報を電荷信号に変換し、表示制御部１４に渡す。表示制御部１４は、この電荷信号を画像信号に変換し、表示デバイス１５の画面上に撮影する被写体の画像データを表示させる。
【００２４】
図２は、表示デバイス１５の画面の表示内容を示している。
【００２５】
変倍光学系１１は、広角端の状態にあり、図２では、表示デバイス１５の画面上に広角端における被写体の画像２１が表示されている。
【００２６】
ここで、表示制御部１４は、図２に示すように、表示デバイス１５の画面上の一部の領域２２に、広角端における被写体の画像２１の中央部分を拡大させた画像を表示させる。この一部の領域２２のフレームに表示させる画像は、表示制御部１４が、広角端における被写体の画像２１の中央部分の画像データから拡大処理を行なって作成した画像である。
【００２７】
ここで、一部の領域２２に表示させる画像は、変倍光学系１１を所定の倍率となるように動作させた際に、撮影される範囲に相当する部分の画像となるように作成される。つまり、変倍光学系１１を所定の倍率となるように動作させると、一部の領域２２に表示されていた画像が、表示デバイス１５の画面全体に表示されることになる。
【００２８】
なお、所定の倍率とは、変倍光学系１１で光学的に変倍できる範囲の倍率であればよく、望遠端の倍率であってもよいし、その他の倍率であってもよい。
【００２９】
フレーム特定手段１６は、図２に示す一部の領域２２のフレームに表示されている画像を決定する手段である。フレーム特定手段１６は、一部の領域２２に表示されている画像を決定できればよく、デジタルスチルカメラに設けられているボタンや十字キー、表示デバイス１５の画面へのタッチ操作など、どのような方法で実現してもよい。
【００３０】
フレーム特定手段１６で、一部の領域２２のフレームに表示されている画像が決定されると、表示制御部１４は、変倍光学系１１が所定の倍率となるように、光学系制御部１３に指示を出す。変倍光学系１１は、光学系制御部１３の制御によって、所定の倍率となるように動作するとともにフォーカシングを行う。
【００３１】
そして、変倍光学系１１が所定の倍率となった際には、表示デバイス１５の画面上には、図２の一部の領域２２に表示されていた範囲の画像部分が、画面全体に表示される。
【００３２】
図３は、本実施の形態１のデジタルスチルカメラにおける、表示デバイス１５の画面の表示内容の、他の例を示している。構成ブロック図は図１のとおりであり、表示デバイス１５の画面の表示内容のみが図２の場合と異なる。
【００３３】
図２の場合には、表示デバイス１５の画面上の一部の領域２２のフレームの位置は予め設定されており、また、そこに表示される画像も所定の倍率としていたが、図３の場合は、一部の領域のフレームのサイズ、位置およびそのフレーム内に表示される画像の倍率も任意に設定できるようになっている。
【００３４】
図３に示すように、表示デバイス１５の画面上の一部の領域３２のいずれかのフレームに、広角端における被写体の画像３１の中央部分を拡大させた画像が表示される。この一部の領域３２のいずれかのフレームに表示される画像は、表示制御部１４が、広角端における被写体の画像３１の中央部分の画像データから拡大処理を行なって作成したものである。
【００３５】
ここで、一部の領域３２のいずれかのフレームに表示される画像は、変倍光学系１１を任意の指定された倍率となるように動作させた際に、撮影される範囲に相当する部分の画像となるように作成される。
【００３６】
なお、図３では、一部の領域３２として３つのフレームを示しているが、これは表示デバイス１５の画面上に任意に設定できることを説明するものであり、これらの位置にしか表示ができないことを示すものではない。
【００３７】
この様に、一部の領域３２のフレームの表示サイズ、位置、およびそこに表示される画像の倍率を任意に指定して表示できるようにすることで、全体の情報が見やすいように設定することができる。
【００３８】
なお、一部の領域３２のフレームのサイズおよび位置の変更は、どのような方法で行ってもよく、例えば、十字キーで操作しても良いし、縦横のスクロールバーで指定しても良い。
【００３９】
また、一部の領域３２のフレーム内に表示させる画像の倍率の指定も、どのような方法で行ってもよい。例えば、変倍光学系１１を変倍させるためのボタンを用いて倍率を変更させるようにしてもよい。
【００４０】
図４は、本実施の形態１のデジタルスチルカメラにおける、表示デバイス１５の画面の表示内容の、別の他の例を示している。構成ブロック図は図１のとおりであり、表示デバイス１５の画面の表示内容のみが図２および図３の場合と異なる。
【００４１】
図２および図３の場合には、表示デバイス１５の画面上の一部の領域のフレームは１つの領域としたが、図４の場合には、一部の領域を複数の領域とし、それらの領域に表示される倍率を異ならせるようにしたものである。
【００４２】
図４は、表示デバイス１５の画面上の一部の領域４２のフレームに広角端における被写体の画像４１の３倍に変倍した画像を、一部の領域４３のフレームに広角端における被写体の画像４１の５倍に変倍した画像を、一部の領域４４のフレームに広角端における被写体の画像４１の８倍に変倍した画像を、それぞれ表示させている。これらの一部の領域４２、４３、４４のフレームに表示される画像は、表示制御部１４が、広角端における被写体の画像４１の中央部分の画像データから拡大処理を行なって作成したものである。
【００４３】
ここで、一部の領域４２、４３、４４のフレームに表示させる画像は、変倍光学系１１を所定の倍率となるように動作させた際に、撮影される範囲に相当する部分の画像となるように作成される。
【００４４】
図５は、図４に示す表示内容の場合の、フレームを特定したときの動作を説明する図である。
【００４５】
表示デバイス１５の画面上に表示されている一部の領域４２、４３、４４のフレームから、フレーム特定手段１６により、一つのフレームを選択する。表示制御部１４は、フレーム特定手段１６で選択されたフレームに応じて、その選択されたフレームに表示されていた画像が表示デバイス１５の画面全体に表示される倍率となるように、光学系制御部１３に指示する。そして、光学系制御部１３に制御されて、変倍光学系１１は指示された倍率になるように動作する。
【００４６】
例えば、図５で、一部の領域４２のフレームが選択されると、変倍光学系１１は５１の状態になるように光学系制御部１３によって制御される。同様に、一部の領域４３のフレームが選択されると、変倍光学系１１は５２の状態になるように制御され、一部の領域４４のフレームが選択されると、変倍光学系１１は５３の状態になるように制御される。
【００４７】
この様に、異なる倍率に対応した撮像範囲の画像を一度に表示させることで、図２や図３の場合に比べて、最適なフレーミングをさらに設定しやすくなる。
【００４８】
以上に説明したように、本実施の形態１のデジタルスチルカメラは、表示デバイスの画面上に表示させた広角時の画像の一部を切り出すことで、変倍光学系の任意の変倍位置における画像を表示デバイスの画面の一部の領域に表示させることを特徴とし、常に新しい画像情報に基づいてフレーミングをすることが可能となる。
【００４９】
また、変倍光学系の任意の変倍位置での画像を複数同時に表示デバイスの画面の一部の領域に表示できるため、フレーミングを決定するのが容易になり、シャッターチャンスを逃さずに撮影できる。
【００５０】
また、表示デバイスの画面の一部の領域に表示させる画像は、その表示サイズと表示位置を任意に設定できるので、表示デバイス上での画像を見やすくできる。
【００５１】
また、表示デバイスの画面の一部の領域に表示させている画像を特定することで、それに連動して光学的に変倍、フォーカスさせることにより、表示デバイス画面の一部の領域に表示させていた画像と同じ画角、フォーカス位置に瞬時に光学的に合わせることができ、シャッターチャンスを逃さず、ワンタッチで撮影できるようになる。
【００５２】
（実施の形態２）
図６は、本発明の実施の形態２のデジタルスチルカメラの構成ブロック図を示している。
【００５３】
本実施の形態２のデジタルスチルカメラは、図１に示す実施の形態１のデジタルスチルカメラの構成とは、フレーム特定手段１６の代わりに撮像範囲指定手段１７を備えている点のみが異なる。
【００５４】
実施の形態１の場合には、変倍光学系１１を望遠側に変倍した場合の画像範囲を表示デバイス１５の画面上に表示させてフレームを決定していたが、本実施の形態２の場合には、望遠側に変倍した場合の画像範囲を表示デバイス１５の画面上に表示させずにフレームを決定する点が異なる。
【００５５】
本実施の形態２の、撮像する被写体を表示デバイス１５上に表示させる処理は、実施の形態１と同様である。実施の形態１の場合と異なる部分の動作について、以下に説明する。
【００５６】
図７は、表示デバイス１５の画面の表示内容および変倍光学系１１の状態を示している。図７は、変倍光学系１１が広角端の状態にある場合の表示内容を示しているが、実施の形態１の場合とは異なり、表示デバイス１５の画面上には広角端における被写体の画像のみが表示されている。
【００５７】
図７の表示デバイス１５の画面上の表示内容に対して、撮像範囲指定手段１７により、拡大時の撮影範囲を指定する。表示制御部１４は、撮像範囲指定手段１７で指定された撮影範囲が表示デバイス１５の画面全体になるように変倍光学系１１が動作するよう、光学系制御部１３に指示を出す。変倍光学系１１は、光学系制御部１３によって制御され、指定された撮影範囲が表示デバイス１５の画面全体になるように動作するとともにフォーカシングを行う。
【００５８】
図７の破線で示す撮影指定範囲７１および７２は、変倍光学系１１を異なる２つの倍率に変化させた場合の、撮影できる範囲をそれぞれ示している。
【００５９】
例えば、撮像範囲指定手段１７で、撮影指定範囲７１が指定された場合には、表示制御部１４が、その矩形範囲に応じた指示を光学系制御部１３に出し、その指示に応じて変倍光学系１１が６１の状態になるよう動作する。同様に、撮影指定範囲７２が指定された場合には、変倍光学系１１は６２の状態になるよう制御される。
【００６０】
ここで、図７の表示内容に対して、撮影指定範囲７１および７２の指定の方法について説明する。
【００６１】
変倍光学系１１の倍率を変化させても、画面の中央部の位置は変わらない。したがって、変倍光学系１１の倍率を変化させた場合の撮影範囲は、広角端における画像に対して、中央部を中心にした撮影指定範囲７１および７２のような矩形範囲となる。したがって、図７の画面上の一点は、特定の一つの矩形の辺上の点を示すことになる。つまり、図７の画面上の一点を指定できれば、拡大後の撮影範囲の矩形を一意に決められる。
【００６２】
したがって、図７の画面上に表示されている広角端の画像内の一点を指定できる方法であれば、どのような方法であっても特定の撮影範囲を指定できる。例えば、デジタルスチルカメラに設けられているボタンや十字キーで、また、ペンシル型の入力デバイスや指で直接表示デバイス１５の画面上の一点を指定するなどの方法で実現できる。
【００６３】
また、指定する撮影範囲をよりわかり易くするために、図７の画面上に矩形を表示させるようにしてもよい。例えば、破線や色付きの矩形を図７の広角端の画像上に表示させ、十字キーやカーソルキーなどによりその矩形範囲を変化させるようにすれば、より簡単に操作できるようになる。
【００６４】
本実施の形態２のデジタルスチルカメラは、表示デバイスの画面に表示されている画像の一部のエリアを任意に選択でき、そのエリアに応じて光学的に変倍、フォーカスさせることにより、正確なフレーミングと変倍、フォーカスが同時にできるため、シャッターチャンスに強くなる。
【００６５】
なお、各実施の形態では、説明をわかり易くするために、表示デバイス１５の画面全体に表示する画像は、変倍光学系１１の広角端における画像としたが、それ以外の変倍位置における画像であってもよい。変倍光学系１１の任意の変倍時における画像を表示デバイス１５の画面全体に表示させ、それよりも大きい変倍率の画像であれば、画面上の一部の領域に表示させることができる。
【００６６】
また、各実施の形態ではデジタルスチルカメラの場合で説明したが、本発明は、デジタルビデオカメラ等のその他のデジタル撮影機器にも適用できる。
【００６７】
なお、本発明のプログラムは、上述した本発明のデジタル撮影機器の表示制御部の機能をコンピュータにより実行させるためのプログラムであって、コンピュータと協働して動作するプログラムである。
【００６８】
また、本発明の記録媒体は、上述した本発明のデジタル撮影機器の表示制御部の機能をコンピュータにより実行させるためのプログラムを担持した記録媒体であり、コンピュータにより読み取り可能かつ、読み取られた前記プログラムが前記コンピュータと協働して利用される記録媒体である。
【００６９】
また、本発明のプログラムの一利用形態は、コンピュータにより読み取り可能な記録媒体に記録され、コンピュータと協働して動作する態様であっても良い。
【００７０】
また、記録媒体としては、ＲＯＭ等が含まれる。
【００７１】
また、上述した本発明のコンピュータは、ＣＰＵ等の純然たるハードウェアに限らず、ファームウェアや、ＯＳ、更に周辺機器を含むものであっても良い。
【００７２】
なお、以上説明した様に、本発明の構成は、ソフトウェア的に実現しても良いし、ハードウェア的に実現しても良い。
【００７３】
以上説明したように本発明によれば、操作が簡便な、シャッターチャンスに強いデジタル撮影機器およびその画像表示方法を提供できる。
【産業上の利用可能性】
【００７４】
本発明にかかるデジタル撮影機器およびその画像表示方法は、容易にフレーミングを決定でき、シャッターチャンスを逃さずに撮影できるという効果を有し、デジタルビデオカメラ、デジタルスチルカメラ等のデジタル撮影機器およびその画像表示方法等として有用である。
【図面の簡単な説明】
【００７５】
【図１】本発明の実施の形態１のデジタルスチルカメラの構成ブロック図
【図２】本発明の実施の形態１の表示デバイスの画面の表示内容を示す図
【図３】本発明の実施の形態１の表示デバイスの画面の、他の表示内容を示す図
【図４】本発明の実施の形態１の表示デバイスの画面の、他の表示内容を示す図
【図５】本発明の実施の形態１における変倍光学系の動作を説明する図
【図６】本発明の実施の形態２のデジタルスチルカメラの構成ブロック図
【図７】本発明の実施の形態２の表示デバイスの画面の表示内容、および変倍光学系の動作を説明する図
【符号の説明】
【００７６】
１１  変倍光学系
１２  撮像素子
１３  光学系制御部
１４  表示制御部
１５  表示デバイス
１６  フレーム特定手段
１７  撮像範囲指定手段
２１、３１、４１  表示デバイス１５の画面
２２、３２、４２、４３、４４  表示デバイス１５の画面の一部の領域
５1、５２、５３、６１、６２  変倍光学系の状態
７１、７２  撮影指定範囲
【図１】
2006054803.tif 000003
【図２】
2006054803.tif 000004
【図３】
2006054803.tif 000005
【図４】
2006054803.tif 000006
【図５】
2006054803.tif 000007
【図６】
2006054803.tif 000008
【図７】
2006054803.tif 000009